(57)【要約】【課題】扉ロック機構の構造を大幅に変更することなく、防盗部材などの交換作業を容易に行うことが可能な自動販売機を提供する。【解決手段】本体キャビネット１の前面開口端部に設けたロック板１ａを外扉に配したスライダ１０に係合させて外扉２を閉止鎖錠する扉ロック機構、および前記本体キャビネット１と外扉２との間を塞ぐ庇部１１１から二股状に延在する取付基部１１２，１１３を外扉２に着脱自在に取付けてなる防盗部材１１を備えた自動販売機であって、前記スライダ１０を上下方向にスライド移動自在に吊り下げ支持する取付金具１２を防盗部材１１に一体に取付け、外扉２に対して防盗部材１１を着脱することにより扉ロック機構のスライダ１０を同時に着脱することを可能とする。【選択図】図１
2012093816.tif 000002
【特許請求の範囲】
【請求項１】
本体キャビネットの前面開口端部に設けたロック板と、前記本体キャビネットの前面にヒンジ機構により開閉自在に設けられた外扉における反ヒンジ側の端部に配設されるとともに取付金具により上下方向にスライド移動自在に吊り下げ支持されたスライダとを有し、前記ロック板を前記スライダに係合させて外扉を閉止鎖錠する扉ロック機構、および前記本体キャビネットと外扉との間を塞ぐ庇部から二股状に延在する取付基部を外扉に着脱自在に取付けてなる防盗部材を備えた自動販売機において、前記スライダを上下方向にスライド移動自在に吊り下げ支持する取付金具は防盗部材に一体に取付けてなることを特徴とする自動販売機。
【発明の詳細な説明】
【技術分野】
【０００１】
この発明は本体キャビネットの前面に配した片開き式外扉を閉止鎖錠する扉ロック機構および本体キャビネットと外扉との間の隙間を閉塞する防盗部材を備えた自動販売機に関する。
【背景技術】
【０００２】
周知のように、庫内に商品収納ラックを搭載した本体キャビネットには硬貨識別装置や紙幣識別装置を搭載した片開き式の外扉を備えた自動販売機は、前記外扉を本体キャビネットに閉止鎖錠する扉ロック装置を備えている。また、自動販売機は、本体キャビネットと外扉との間の隙間にバールなどの工具を差し込んで扉ロック装置を破壊して外扉をこじ開けた上で、硬貨識別装置や紙幣識別装置から金銭を不正に盗み出すという手口の犯罪に対して様々な防犯対策が提案されている。その防犯対策の一つとして前記本体キャビネットと外扉との間の隙間を塞ぐ防盗部材を配設したものが知られている（例えば、特許文献１）。この特許文献１に代表される従来の扉ロック装置およびこの扉ロック装置を防護する防盗部材を図４〜図７に示す。
【０００３】
図４において、１は前面が開口した断熱筐体としてなる本体キャビネット、２は本体キャビネット１の正面視左側壁にヒンジ機構を介して開閉自在に軸支された片開き式の外扉であり、外扉２には商品のディスプレイ室３，硬貨投入口４，紙幣挿入口５，投入金額などを表示する表示器６，硬貨返却口７，商品取出口８，シリンダー錠付きの扉開閉用ハンドル９を備えている。前記扉開閉用ハンドル９はシリンダー錠を開錠することにより前方にポップアップして回動操作が可能となるものである。
【０００４】
図５は図４のＡ−Ａ断面図であり、図において、９ａは前記扉開閉用ハンドル９の後端に連結された操作レバー、１０は前記操作レバー９ａに連繋して外扉２における反ヒンジ側の背面に敷設したスライダ、１１は本体キャビネット１と外扉２との間の隙間を塞ぐ防盗部材、１ａは本体キャビネット１の開口前端部に設けた鉤形（凹溝）のロック板であり、このロック板１ａは上下方向の３箇所に分散して配設されている。前記扉開閉用ハンドル９の回動により操作レバー９ａを介して操作されるスライダ１０およびロック板１１が扉ロック装置を構成している。なお、図５では扉開閉用ハンドル９がポップアップした状態を示している。
【０００５】
前記スライダ１０および防盗部材１１は、図６に示すように、上下方向に長尺な部材からなり、外扉２の反ヒンジ側背面の扉枠２ａに敷設されている。前記スライダ１０は、図５も参照すると分かるように横断面コ字状の鋼板製になり、その底壁（コ字形底面）には本体キャビネット１の前端面に上下方向の３箇所に分散して設けた鉤形のロック板１ａに対応する角穴１０ａが上下方向３箇所に分散して開口し、スライダ１０の一方の側壁（コ字状脚片）には前記操作レバー９ａの先端が嵌入する角穴（不図示）が開口している。また、前記スライダ１０は、上端部が取付金具１２（図６の（ｂ）に拡大して示す）を介して外扉２の扉枠２ａに上下方向にスライド移動自在に吊り下げ支持されている。前記取付金具１２はスライダ１０よりも一回り大きな横断面コ字状の鋼板製になり、その左右側壁の間にガイドピン１２ａが架設され、その底壁（コ字形底面）には扉枠２ａに引っ掛ける係合爪１２ｂ（図６の（ｃ）参照）が切り起こしにより形成されるとともにねじ挿通穴１２ｃが形成されている。前記ガイドピン１２ａは、前記スライダ１０を取付金具１２の内側に嵌め込んだ状態でスライダ１０の左右側壁に設けた上下方向に延在する長穴１０ａ（図６の（ｂ）参照）を通した上で左右側壁に架設される。このように、ガイドピン１２ａを介してスライダ１０と連結された取付金具１２は、図７に示すように、外扉２の扉枠２ａに固着される。すなわち、前記取付金具１２の底壁が扉枠２ａの凹部底面に沿うように嵌め込んだ後、その底壁に形成したねじ挿通穴１２ｃを介してねじＳ１を扉枠２ａにねじ込むことより取付金具１２が扉枠２ａに固着され、これによってスライダ１０が外扉２に対して上下方向にスライド移動自在に吊り下げ支持される。
【０００６】
また、防盗部材１１は、図５，図７に示すように、本体キャビネット１と外扉２の間の隙間を塞ぐ庇部１１１がダブルボールドにより強化されており、前記庇部１１１から二股状に分岐された第１取付基部１１２に形成したフック１１２ａを外扉２の扉枠２ａに形成したスリット状の係合溝２ｂに差し込んで係止し、さらに第２取付基部１１３を扉枠２ａにねじＳ２にねじ止めする。この防盗板１１により扉枠２ａの凹部が閉塞され、前記扉枠２ａの凹部に収容されたスライダ１１の上下方向のスライド移動を安定させる。なお、防盗部材１１の第２取付基部１１３（図７において第２取付基部１１３の引出線が指す面）にはロック板１ａに対応した上下方向の３箇所の位置に当該ロック板１ａが貫通するスリット１１３ａ（図６の（ａ）参照）が形成されている。なお、図６の（ａ）における２１は投入硬貨を識別する硬貨識別装置、２２は挿入紙幣を識別する紙幣識別装置、２３は硬貨の回収ボックス（金庫）である。
【０００７】
上記構成の扉ロック装置は、外扉２を閉じた状態ではスライダ１０の角穴１０ａがロック板１ａの凹溝に係合して外扉２を閉位置に鎖錠している。この状態から鍵を使って扉ロック装置のシリンダー錠を開錠した上で、扉開閉用ハンドル９を開位置に回すと操作レバー９ａが回動してスライダ１１を上方に押し上げる。これにより、スライダ１１とロック板１ａとの係合が外れて外扉２を自由に開くことができるようになる。なお、上昇したスライダ１０は不図示の保持機構により上昇位置に保持されており、外扉２を閉じた際にロック板１ａが保持機構に当接してスライダ１０の保持を解除することによりスライダ１０が下降してロック板１ａに自動的に係合するように構成されている。
【先行技術文献】
【特許文献】
【０００８】
【特許文献１】特開２００７−７９８８３号公報
【発明の概要】
【発明が解決しようとする課題】
【０００９】
上述した特許文献１に開示された発明においては、防盗部材１１の二股状の第１および第２取付基部１１２，１１３がそれぞれ扉枠２ａに係止されていることから、本体キャビネット１と防盗部材１１の庇部１１１の先端との間にバールを差し込んで防盗部材１１を取外そうとしても庇部１１１が捲れ上がる程度で防盗部材１１が脱落することがない。したがって、本体キャビネット１と外扉２の間の隙間にバールを差し込んで外扉２をこじ開けようとする犯行に対して有効である。ところで、前述したような犯行が行われた場合に自動販売機を修復することになる。この場合、自動販売機の本体キャビネット１や外扉２が大きな損傷を受けた場合には自動販売機を修理工場に運搬して修復せねばならないが、損傷箇所が防盗部材１１若しくはスライダ１０（詳述はできないが、防盗部材１１におけるロック板１ａが貫通するスリットを介してバールが差し込まれてスライダが変形するような損傷）に止まる場合には現地（自動販売機の設置場所）にて防盗部材１１若しくはスライダ１０を交換することが望ましい。ところが、従来の扉ロック装置においては、スライダ１０が取付金具１２をねじＳ１により扉枠２ａに固着されるとともに防盗部材１１は第１取付基部１１２がスライダ１０の側壁（扉開放端側）を、そして、第２取付基部１１３がスライダ１０の底壁を覆う態様で扉枠２ａに固着されている。このため、防盗部材１１の第１取付基部１１２がスライダ１０に接触するように変形している場合には防盗部材１１の取り外しが困難となり、また、スライダ１０が防盗部材１１に当接するように変形している場合（スライダ１０が防盗部材１１の突っ支いとなる場合）には尚更防盗部材１１の取り外しが困難となって交換作業に手間がかかるという課題を有する。
【００１０】
そこで、本発明は上記の点に鑑みなされたものであり、その目的は前記課題を解決し、扉ロック機構の構造を大幅に変更することなく、防盗部材などの交換作業を容易に行うことが可能な自動販売機を提供することにある。
【課題を解決するための手段】
【００１１】
上記目的を達成するために請求項１に係る発明は、本体キャビネットの前面開口端部に設けたロック板と、前記本体キャビネットの前面にヒンジ機構により開閉自在に設けられた外扉における反ヒンジ側の端部に配設されるとともに取付金具により上下方向にスライド移動自在に吊り下げ支持されたスライダとを有し、前記ロック板を前記スライダに係合させて外扉を閉止鎖錠する扉ロック機構、および前記本体キャビネットと外扉との間を塞ぐ庇部から二股状に延在する取付基部を外扉に着脱自在に取付けてなる防盗部材を備えた自動販売機において、前記スライダを上下方向にスライド移動自在に吊り下げ支持する取付金具は防盗部材に一体に取付けてなることを特徴とする。
【発明の効果】
【００１２】
本発明の請求項１に係る自動販売機の扉ロック装置によれば、本体キャビネットの前面開口端部に設けたロック板と、前記本体キャビネットの前面にヒンジ機構により開閉自在に設けられた外扉における反ヒンジ側の端部に配設されるとともに取付金具により上下方向にスライド移動自在に吊り下げ支持されたスライダとを有し、前記ロック板を前記スライダに係合させて外扉を閉止鎖錠する扉ロック機構、および前記本体キャビネットと外扉との間を塞ぐ庇部から二股状に延在する取付基部を外扉に着脱自在に取付けてなる防盗部材を備えた自動販売機において、前記スライダを上下方向にスライド移動自在に吊り下げ支持する取付金具を防盗部材に一体に取付けたことにより、扉ロック機構のスライダが防盗部材と一体化されるので、外扉に対して防盗部材を着脱することにより扉ロック機構のスライダを同時に着脱することが可能となり、本体キャビネットと外扉との間の隙間にバールを差し込んで外扉をこじ開けようとする犯行によって破損した防盗部材若しくはスライダを交換する作業を容易に行うことができるという効果を有する。
【図面の簡単な説明】
【００１３】
【図１】本発明の実施の形態に係る自動販売機における防盗部材とスライダの組立構造を示す平面図である。
【図２】図１の防盗部材とスライダの組立状態を示す分解斜視図である。
【図３】図１の防盗部材とスライダの組立状態を示す平面図である。
【図４】本発明が対象とする自動販売機の一例を示す正面図である。
【図５】図４のＡ−Ａ断面図である。
【図６】従来の扉ロック機構のスライダと防盗板を示し、（ａ）は図３の外扉を背面から見た分解斜視図、（ｂ）はスライダの斜視図、（ｃ）は（ａ）の主要部を前面側から見た分解斜視図である。
【図７】従来の防盗部材とスライダの組立状態を示す平面図である。
【発明を実施するための形態】
【００１４】
以下、本発明の実施の形態に係る自動販売機について添付図面を参照して説明する。なお、本発明の実施の形態に係る自動販売機が従来装置と相違する点は、防盗部材にスライダを一体的に取付けて外扉へ組付けるようにした点であるので外扉を中心に図示しており、自動販売機の全体構成および扉ロック機構の構成は図４，図５示したものと同一であるので適宜それぞれの図を参照しつつ説明を行う。
【００１５】
図１において、２で再び外扉を示し、１０はスライダ、１１は防盗部材、１２はスライダ１０の取付金具であり、図５に示した従来装置と相違する点は、スライダ１０を防盗部材１１に取付けて一体化し、防盗部材１１の外扉２への着脱によりスライダ１０も同時に着脱されるようにした点である。なお、図１では、図５に示した本体キャビネット１の開口前端部に設けたロック板１ａ、扉開閉用ハンドル９および操作レバー９ａについては割愛している。
【００１６】
前記スライダ１０の構造は従来装置と同一であって、図２に示すように、横断面コ字状の鋼板製になり、その底壁（コ字形底面）には、図５に示したところの本体キャビネット１の前端面に上下方向の３箇所に分散して設けた鉤形のロック板１ａに対応する角穴１０ａ（図では上段の角孔１０ａが見えている）が上下方向３箇所に分散して開口し、スライダ１０の一方の側壁（コ字状脚片）には操作レバー９ａ（図５参照）の先端が嵌入する不図示の角穴が開口している。また、取付金具１２はスライダ１０よりも一回り大きな横断面コ字状の鋼板製になり、その左右側壁の間にガイドピン１２ａが架設され、その底壁（コ字形底面）には防盗部材１１に引っ掛ける係合爪１２ｂが切り起こしにより形成されるとともに新たにねじ穴１２ｄ（雌螺子）が形成されている。前記ガイドピン１２ａは、前記スライダ１０を取付金具１２の内側に嵌め込んだ状態でスライダ１０の左右側壁に設けた上下方向に延在する長穴１０ａ（図６の（ｂ）参照）を通した上で左右側壁に架設される。
【００１７】
また、防盗部材１１の構造も従来装置と同様に、ダブルボールドされた庇部１１１と、前記庇部１１１から二股状に分岐された第１取付基部１１２に形成したフック１１２ａを外扉２の扉枠２ａに形成したスリット状の係合溝２ｂに差し込んで係止し、さらに、第２取付基部１１３を扉枠２ａにねじＳ４によりねじ止めされ、防盗部材１１の第２取付基部１１３にはロック板１ａに対応した上下方向の３箇所の位置に当該ロック板１ａが貫通するスリット１１３ａ（図２では上段のスリット１１３ａが見えている）が形成されている。この防盗部材１１が従来装置と相違する点は、第２取付基部１１３に前記取付金具１２の係合爪１２ｂが係合する係合穴１１３ｂを設けるとともに取付金具１２のねじ穴１２ｄに対応してねじ挿通穴１１３ｃを設けた点である。
【００１８】
前記スライダ１０は防盗部材１１に次のように組付けることにより一体化される。すなわち、図２に示すように、スライダ１０を吊り下げ支持する取付金具１２の底壁に形成した係合爪１２ｂを、防盗部材１１の第２取付基部１１３に形成した係合穴１１３ｂに係合させた後、防盗部材１１のねじ挿通穴１１３ｃを介してねじＳ３を取付金具１２のねじ穴１２ｄにねじ込む。これにより、取付金具１２を介してスライダ１０が防盗部材１１に一体的に取付けられる。前述したように、スライダ１１が一体的に組付けられた防盗部材１１は、スライダ１０を扉枠２ａの凹部に格納しつつ、第１取付基部１１２のフック１１２ａを外扉２の扉枠２ａに形成したスリット２ｂに係合させた上で、第２取付基部１１３を扉枠２ａにねじＳ４によりねじ止めすることにより外扉２に組付けられる。なお、スライダ１０を吊り下げ支持する取付金具１２を防盗部材１１の第２取付基部１１３にねじＳ３によりねじ止めすることによってねじＳ３の頭部が外扉２の背面側に露出している。このため、外扉２を閉じた際にねじＳ３の頭部が本体キャビネット１の前面に当接して傷が付くおそれがあるが、この場合には、ねじＳ３の頭部にクッション材１３（図２参照）をねじＳ３の頭部を覆うように貼着すればよい。
【００１９】
次に、本体キャビネット１（図５参照）と防盗部材１１の庇部１１１の先端との間にバールを差し込んで外扉２をこじ開けようとする行為に対しては、従来装置と同様に、防盗部材１１の第１取付基部１１２および第２取付基部１１３が外扉２に係止されていることから防盗部材１１が脱落するおそれはなく、外扉２をこじ開けて金銭を盗むといった不正を未然に防止することができる。ここで、バールにより外扉２をこじ開けようとする犯行によって防盗部材１１若しくはスライダ１０が変形するような損傷を受けた場合、新たな防盗部材１１若しくはスライダ１０との交換作業が行われる。この交換作業は防盗部材１１の第２取付基部１１３を外扉２にねじ止めしたねじＳ４を取外した上で、外扉２の扉枠２ａに形成したスリット２ｂから第１取付基部１１２のフック１１２ａを引き抜いて防盗部材１１を外扉２から取外す。この防盗部材１１の取外しに伴って防盗部材１１に一体化されたスライダ１０も外扉２から取外される。したがって、従来装置のように、防盗部材１１の取外しの際にスライダ１０が邪魔となって防盗部材１１の取外しが困難となって取り外し作業に手間がかかることはなく、防盗部材１１およびスライダ１０を外扉２から容易に取外すことができる。その後、スライダ１０が一体化された新たな防盗部材１１を前述したように組付けることにより自動販売機の修復を現地（自動販売機の設置場所）で行うことができる。
【００２０】
前述したように本発明の実施の形態に係る自動販売機によれば、本体キャビネット１の前面開口端部に設けたロック板１ａと、前記本体キャビネット１の前面にヒンジ機構により開閉自在に設けられた外扉２における反ヒンジ側の端部に配設されるとともに取付金具１２により上下方向にスライド移動自在に吊り下げ支持されたスライダ１０とを有し、前記ロック板１ａを前記スライダ１０に係合させて外扉２を閉止鎖錠する扉ロック機構、および前記本体キャビネット１と外扉２との間を塞ぐ庇部１１１から二股状に延在する取付基部（第１取付基部１１２、第２取付基部１１３）を外扉２に着脱自在に取付けてなる防盗部材１１を備えた自動販売機において、前記スライダ１０を上下方向にスライド移動自在に吊り下げ支持する取付金具１２を防盗部材１１に一体に取付けたことにより、扉ロック機構のスライダ１０が防盗部材１１と一体化されるので、外扉２に対して防盗部材１１を着脱することにより扉ロック機構のスライダ１０を同時に着脱することを可能となり、本体キャビネット１と外扉２との間の隙間にバールを差し込んで外扉２をこじ開けようとする行為によって破損した防盗部材１１若しくはスライダ１０を交換する作業を容易に行うことができるという効果を有する。
【００２１】
なお、前述した実施の形態では取付金具１２にねじ穴（雌螺子）１２ｄを形成してねじＳ３をねじ止めするように構成したが、ねじＳ３をリベットとしてねじ穴（雌螺子）１２ｄを単なるねじ挿通穴とすることもできる。したがって、前述した実施の形態によりこの発明が限定されるものではない。
【符号の説明】
【００２２】
１    本体キャビネット
１ａ    ロック板
２    外扉
２ａ    扉枠
２ｂ    係合溝
９    扉開閉用ハンドル
９ａ    操作レバー
１０    スライダ
１１    防盗部材
１２    取付金具
１１１    庇部
１１２    第１取付基部
１１３    第２取付基部
【図１】
2012093816.tif 000003
【図２】
2012093816.tif 000004
【図３】
2012093816.tif 000005
【図４】
2012093816.tif 000006
【図５】
2012093816.tif 000007
【図６】
2012093816.tif 000008
【図７】
2012093816.tif 000009